(57)【要約】【課題】表示物の保持装置は、広告類の表示は極めて多種多様であることから、表示機能を高めるうえでのさらなる開発が求められている。【解決手段】構造体であるレールＲに取付けて広告等の表示物Ｐ１，Ｐ２を保持する装置であり、正面に、表示物Ｐ１を保持するための中央保持部１を備えると共に、左右両端に、表示物Ｐ２を保持するための左右の保持部である保持用溝４を備え、背面に、構造体への取付部である支持片６を備えた保持装置Ｈ１とし、表示機能の向上を実現した。【選択図】図２
2005152382.tif 000002
【特許請求の範囲】
【請求項１】
構造体に取付けて広告等の表示物を保持する装置であって、正面に、表示物を保持するための中央保持部を備えると共に、左右両端に、同じく表示物を保持するための左右の保持部を備え、背面に、構造体への取付部を備えたことを特徴とする表示物の保持装置。
【請求項２】
構造体がレールであり、取付部が、弾性変形を伴ってレールに嵌合する一対の支持片から成ることを特徴とする請求項１に記載の表示物の保持装置。
【請求項３】
左右の保持部が、シート状の表示物を嵌合する保持用溝を備えていることを特徴とする請求項１又は２に記載の表示物の保持装置。
【請求項４】
中央保持部が、シート状の表示物を嵌合する保持用溝を備えていることを特徴とする請求項１〜３のいずれかに記載の表示物の保持装置。
【請求項５】
中央保持部が、表示物側の係合部と係合する保持用フックを備えていることを特徴とする請求項１〜４のいずれかに記載の表示物の保持装置。
【請求項６】
中央保持部が、表示物側の球面状凹部と係合する保持用ボールを備えていることを特徴とする請求項１〜３のいずれかに記載の表示物の保持装置。
【請求項７】
左右の保持部の背面側に、構造体に取付部を取付けた状態で同構造体に当接する支持脚を備えていることを特徴とする請求項１〜６のいずれかに記載の表示物の保持装置。
【発明の詳細な説明】
【技術分野】
【０００１】
本発明は、例えば商品の陳列棚等の構造体に対して、商品の広告等の表示物を保持しておくのに用いられる表示物の保持装置に関するものである。
【背景技術】
【０００２】
近年、商品やサービスの宣伝・広告を省スペースで行うことができ、消費者の購買意欲を喚起するためのものとして、いわゆるＰＯＰ用品が種々開発されており、その中の一つに、例えば商品の陳列棚やショーケース等の各種構造体に取付けて、商品の広告や値札等の表示物を保持するための保持装置がある。
【発明の開示】
【発明が解決しようとする課題】
【０００３】
ところで、従来の表示物の保持装置にあっても、様々なものが実用化されているが、広告類の表示は極めて多種多様であることから、この種の装置に対する要望が留まることはなく、表示機能を高めるうえでのさらなる開発が求められている。
【０００４】
そこで、本発明は、上記従来の状況に鑑みて成されたもので、構造体への取付け性や表示物の保持機能に優れると共に、様々な表示形態を得ることができる表示物の保持装置を提供することを目的としている。
【課題を解決するための手段】
【０００５】
本発明の表示物の保持装置は、請求項１として、構造体に取付けて広告等の表示物を保持する装置であって、正面に、表示物を保持するための中央保持部を備えると共に、左右両端に、同じく表示物を保持するための左右の保持部を備え、背面に、構造体への取付部を備えた構成とし、請求項２として、構造体がレールであり、取付部が、弾性変形を伴ってレールに嵌合する一対の支持片から成る構成とし、請求項３として、左右の保持部が、シート状の表示物を嵌合する保持用溝を備えている構成とし、請求項４として、中央保持部が、シート状の表示物を嵌合する保持用溝を備えている構成とし、請求項５として、中央保持部が、表示物側の係合部と係合する保持用フックを備えている構成とし、請求項６として、中央保持部が、表示物側の球面状凹部と係合する保持用ボールを備えている構成とし、請求項７として、左右の保持部の背面側に、構造体に取付部を取付けた状態で同構造体に当接する支持脚を備えている構成としており、上記構成をもって従来の課題を解決するための手段としている。
【発明の効果】
【０００６】
本発明の請求項１に係わる表示物の保持装置によれば、中央及び左右の保持部と取付部を備えたものとしたことから、構造体への取付け性や表示物の保持機能に優れると共に、中央及び左右の保持部を選択的に使用して表示物を保持することによって様々な表示形態を得ることができ、表示機能を高めることができる。
【０００７】
本発明の請求項２に係わる表示物の保持装置によれば、請求項１と同様の効果を得ることができるうえに、構造体であるレールに対して、弾性変形を伴ってレールに嵌合する一対の支持片から成る取付部を採用したことから、構造体に対する当該装置の着脱を極めて簡単に行うことができ、表示物の交換などにも容易に対処することができる。
【０００８】
本発明の請求項３に係わる表示物の保持装置によれば、請求項１及び２と同様の効果を得ることができるうえに、左右の保持部としてシート状の表示物を嵌合する保持用溝を採用したことから、例えばシートをＵ字状、Ｖ字状又はコ字状などの各種形状に曲成した立体的な表示物を保持することができると共に、その着脱作業も容易であり、また、中央保持部で保持した内側の表示物を左右の保持部で保持した外側の表示物で覆う状態にして、二重の表示形態を得ることもでき、表示機能のさらなる向上を実現することができる。
【０００９】
本発明の請求項４に係わる表示物の保持装置によれば、請求項１〜３と同様の効果を得ることができるうえに、中央保持部としてシート状の表示物を嵌合する保持用溝を採用したことから、中央保持部単独又は左右の保持部と協働して立体的な表示物を保持することができ、表示機能のさらなる向上を実現することができる。
【００１０】
本発明の請求項５に係わる表示物の保持装置によれば、請求項１〜４と同様の効果を得ることができるうえに、中央保持部として表示物側の係合部と係合する保持用フックを採用したことから、係合部を有する表示物を対象にして、保持し得る表示物の種類を大幅に増大させることができ、とくに、中央保持部として保持用溝と保持用フックの両方を備えたものとした場合には、これらを選択的に使用して表示物を保持することで、より多様な表示形態を得ることができる。
【００１１】
本発明の請求項６に係わる表示物の保持装置によれば、請求項１〜３と同様の効果を得ることができるうえに、中央保持部として表示物側の球面状凹部と係合する保持用ボールを採用したことから、球面状凹部を設けた表示物を対象にして、保持し得る表示物の種類を大幅に増大させることができ、また、球面状凹部と保持用ボールの係合部分が摺動可能となり、表示物の保持角度を自在に調整することができる。
【００１２】
本発明の請求項７に係わる表示物の保持装置によれば、請求項１〜６と同様の効果を得ることができるうえに、構造体に取付部を取付けた状態で同構造体に当接する支持脚を採用したことから、取付部及び左右の支持脚の三点により、構造体に当該装置を取付けた際のがたつきを防ぐことができ、表示物の保持機能をより高めることができる。
【実施例】
【００１３】
図１及び図２は本発明に係わる表示物の保持装置の一実施例を示す図である。
図示の保持装置Ｈ１は、構造体に取付けて広告等の表示物を保持する装置であって、正面に、表示物を保持するための矩形平面状の中央保持部１を備えると共に、中央保持部１の左右両側に、背面方向に曲成した傾斜片２，２と、各傾斜片２，２から左右に張り出す延出片３，３を連続的に有している。また、各延出片３，３の端部すなわち当該装置の左右両端に、同じく表示物を保持するための左右の保持部を備えると共に、中央保持部１の背面に、構造体への取付部を備えている。
【００１４】
この実施例における構造体は、図２に示すレールＲである。このレールＲは、例えば商品の陳列棚の正面に沿って設けるものであって、長手方向にわたって扁平な凹状の断面を成し、値札等を取付けることができるように上下に内向きの鉤部Ａ，Ａを有している。
【００１５】
保持装置Ｈ１の左右の保持部は、シート状の表示物を嵌合する保持用溝４である。両保持用溝４，４は、当該装置の正面において縦に形成してあると共に、上下に開放されたものとなっており、夫々の内側には、嵌合した表示物の保持力を高めるための複数の突起５が形成してある。
【００１６】
保持装置Ｈ１の取付部は、構造体であるレールＲに対して、弾性変形を伴って嵌合する一対の支持片６，６である。両支持片６，６は、中央保持部１の上下から背面方向に延出しており、先端には、レールＲの鉤部Ａ，Ａの内側に係合する係合片６ａ，６ａを有している。
【００１７】
また、保持装置Ｈ１は、左右の保持用溝（保持部）４，４の背面側に、構造体に両支持変（取付部）６，６を取付けた状態で同構造体に当接する支持脚７，７を備えている。
【００１８】
さらに、保持装置Ｈ１は、支持片６に適当な弾力性が得られるものであれば、その材料がとくに限定されることはないが、例えば成形性や製造コストなどの面で有利なものとしてプラスチックが挙げられ、プラスチックを採用した場合には、適宜の色彩を施したり透明にしたりすることが可能であると共に、正背面方向に二分割された簡単な構造の成形型で一体成形することができる。
【００１９】
上記の保持装置Ｈ１は、両支持片６，６を上下から押圧して弾性変形させ、各係合片６ａ，６ａをレールＲの鉤部Ａ，Ａの内側に係合するだけで、同レールＲに対して簡単に取付けることができ、この際、左右両側の支持脚７，７がレールＲの底面（縦の面）に当接するので、がたつきのない確実な取付け状態となる。また、保持装置Ｈ１は、レールＲの長手方向において自由に位置調整することができ、両支持片６，６を再び弾性変形させれば、レールＲから簡単に取外すことができる。
【００２０】
上記の保持装置Ｈ１は、例えば図２中に仮想線で示すように、中央保持部１に、接着剤や両面接着テープなどにより箱状の表示物Ｐ１を取付けると共に、左右の保持用溝４，４に、湾曲させたシート状の表示物Ｐ２の左右両辺を嵌合する。図示例の場合には、内側の表示物Ｐ１が見えるように外側の表示物Ｐ２の素地を透明にしたり、内側の表示物Ｐ１を広告等の小片を収容した上方開口の箱にしたりすることができる。
【００２１】
このように、上記実施例の保持装置Ｈ１は、レール（構造体）Ｒへの取付け性や表示物Ｐ１，Ｐ２の保持機能に優れると共に、中央及び左右の保持部１，４を選択的に使用して表示物Ｐ１，Ｐ２を保持することによって様々な表示形態を得ることができ、また、表示物の交換などにも容易に対処することができる。
【００２２】
図３及び図４は本発明に係わる表示物の保持装置の他の実施例を示す図である。なお、先の実施例と同一の構成部位は、同一符号を付して詳細な説明を省略する。
【００２３】
図示の保持装置Ｈ２は、中央保持部１が、シート状の表示物を嵌合する縦の保持用溝１１を備え、保持用溝１１の両側に、表示物側の係合部と係合する左右一対の保持用フック１２，１２を備えている。保持用溝１１は、先述の左右の保持用溝４と同様に、嵌合した表示物の保持力を高めるための複数の突起５を有すると共に、表示物の所定の嵌合深さが得られるように、支持片６の略中央部に至る範囲まで形成してある。また、中央保持部１において、各保持用フック１２の背面側には、当該保持装置Ｈ１を正背面方向に二分割した成形型で一体成形し得るように、形抜き用の開口部１３が設けてある。
【００２４】
上記の保持装置Ｈ２は、先の実施例と同様にレール（構造体）Ｒに取付けられ、図４に示すように、表示物Ｐ１に形成した矩形穴状の係合部Ｂを保持用フック１２に係合することによって同表示物Ｐ１を保持し、図４中に仮想線で示すように、左右の保持用溝４，４に、湾曲させたシート状の表示物Ｐ２の左右両辺を嵌合する。
【００２５】
また、この保持装置Ｈ２は、図示例以外に、中央保持部１の保持用溝１１にシート状の表示物を嵌合すると共に、左右の保持用溝４，４にシート状の表示物Ｐ２の両辺を嵌合したり、左側の保持用溝４と中央の保持用溝１１にシート状の表示物の両辺を嵌合すると共に、中央の保持用溝１と右側の保持用溝４に別のシート状の表示物の両辺を嵌合したりすることができる。
【００２６】
上記の保持装置Ｈ２は、先の実施例と同様の効果を得ることができるうえに、保持用溝１１及び保持用フック１２を備えた中央保持部１、左右両端の保持用溝（保持部）４，４を選択的に使用して表示物を保持することで、より多様な表示形態を得ることができる。
【００２７】
図５及び図６は本発明に係わる表示物の保持装置のさらに他の実施例を示す図である。なお、先の実施例と同一の構成部位は、同一符号を付して詳細な説明を省略する。
【００２８】
図示の保持装置Ｈ３は、中央保持部１が、表示物側の球面状凹部と係合する保持用ボール２１を備えている。この保持用ボール２１は、中央保持部１の基板に対して、同ボール２１よりも小径な基部２２を介して設けてある。保持用ボール２１及び基部２２は、当該装置の本体に一体成形することも可能であるし、別体で成形したものを後で本体に固定することも可能である。
【００２９】
上記の保持装置Ｈ３は、先の実施例と同様にレール（構造体）Ｒに取付けられ、図６に示すように、カード状の表示物Ｐ３の背面に設けた球面状凹部Ｃを保持用ボール２１に係合することによって同表示物Ｐ３を保持し、図６中に仮想線で示すように、左右の保持用溝４，４に、湾曲させたシート状の表示物Ｐ２の左右両辺を嵌合する。このとき、球面状凹部Ｃは、その開口部が保持用ボール２１よりもごく僅かに小径になっていて、強制的に係合した保持用ボール２１が不用意に外れることはなく、また、保持用ボール２１に対して摺動可能であり、表示物Ｐ３の保持角度を自在に調整することができる。
【００３０】
上記の保持装置Ｈ３は、先の実施例と同様の効果を得ることができるうえに、球面状凹部Ｃを設けた表示物を対象にして、保持し得る表示物の種類を大幅に増大させることができ、より多様な表示形態を得ることができる。
【００３１】
なお、本発明に係わる表示物の保持装置は、その詳細な構成が上記各実施例に限定されるものではなく、例えば構造体として凸状のレールを採用した場合には、このレールを挟持する取付部を備えたものとすることができ、また、レール以外の構造体にも適用可能であって、接着剤や溶着により取付部を構造体に固定するようにしたり、取付部として磁石を備えたものとしたりすることができ、構造体や表示物に応じて材料や各部位の構成を適宜変更することができる。
【００３２】
また、当該保持装置は、当然のことながら様々な形態の表示物に適用可能であって、表示物に応じて中央保持部や左右の保持部を選択的に使用すれば良く、上記各実施例ではいずれも左右の保持部（保持用溝４）に同一のシート状の表示物Ｐ２を嵌合した場合を示したが、別々の表示物を保持することも可能である。シート状の表示物は、その大きさが限定されることはないが、ＰＯＰ用品としての適当な大きさを有する薄物であり、カード状のものや部分的に立体化したものも含まれる。
【図面の簡単な説明】
【００３３】
【図１】本発明に係わる表示物の保持装置の一実施例を説明する正面図（ａ）、断面図（ｂ）及び側面図（ｃ）である。
【図２】図１に示す保持装置の使用例を示す斜視図である。
【図３】本発明に係わる表示物の保持装置の他の実施例を説明する正面図（ａ）、断面図（ｂ）及び側面図（ｃ）である。
【図４】図３に示す保持装置の使用例を示す斜視図である。
【図５】本発明に係わる表示物の保持装置のさらに他の実施例を説明する正面図（ａ）、断面図（ｂ）及び側面図（ｃ）である。
【図６】図４に示す保持装置の使用例を示す斜視図である。
【符号の説明】
【００３４】
Ｂ            係合部
Ｃ            球面状凹部
Ｈ１〜Ｈ３    保持装置
Ｐ１〜Ｐ３    表示物
Ｒ            レール（構造体）
１            中央保持部
４            保持用溝（左右の保持部）
６            支持片（取付部）
７            支持脚
１１          保持用溝
１２          保持用フック
２１          保持用ボール
【図１】
2005152382.tif 000003
【図２】
2005152382.tif 000004
【図３】
2005152382.tif 000005
【図４】
2005152382.tif 000006
【図５】
2005152382.tif 000007
【図６】
2005152382.tif 000008